(57)【要約】【課題】一般的な強度試験機を用いて効率良く試験を行え、また、試験歯車がはすば歯車であっても安定した試験が行える歯車の歯折れ強度試験方法と歯折れ強度試験治具を提供することを課題としている。【解決手段】試験歯車Ａの外周の一部を試験治具の受け台５の上面に設けたセット溝６に落ち込ませ、そのセット溝６の左右の縁６ａ、６ｂで試験歯車Ａの中心対称位置の歯を受け支え、この状態で試験歯車Ａの上部に当てた加圧子１１に試験機から垂直荷重を加え、セット溝の縁６ａ、６ｂで支えた歯が折れたときの付与荷重から試験歯車Ａの歯折れ強度を調べるようにした。【選択図】図１
2006010600.tif 000002
【特許請求の範囲】
【請求項１】
水平向きにした試験歯車の外周の一部を受け台の上面に設けたセット溝に落ち込ませ、そのセット溝の左右の縁で前記試験歯車の中心対称位置の歯を受け支え、この状態で前記試験歯車に垂直方向の荷重を加え、前記セット溝の縁で支えた歯が折れたときの付与荷重から試験歯車の歯折れ強度を調べる歯車の歯折れ強度試験方法。
【請求項２】
上面にセット溝を設けた受け台と、前記セット溝の直上に配置する加圧子とを有し、水平向きにした試験歯車の外周の一部を前記セット溝に落ち込ませて前記セット溝の左右の縁で前記試験歯車の中心対称位置の歯を受け支え、この状態で前記加圧子を試験歯車の上部に載せ、加圧子経由で試験歯車に試験機から垂直荷重を加えて前記セット溝の縁で支えた歯が折れたときの付与荷重から試験歯車の歯折れ強度を調べるようにした歯車の歯折れ強度試験治具。
【請求項３】
前記セット溝の左右の縁を、はすば歯車の歯のねじれ角に対応した角度で相反する向きに傾斜させた請求項２に記載の歯車の歯折れ強度試験治具。
【請求項４】
前記受け台に、この受け台で支えた試験歯車の一端面と他端面をそれぞれ受けて試験歯車の軸方向移動を阻止するストッパを備えさせた請求項２又は３に記載の歯車の歯折れ強度試験治具。
【請求項５】
前記受け台と加圧子を支持する基台を含ませ、前記受け台を基台に対して着脱自在となしてこの受け台を試験歯車の種類、サイズに合ったものと交換可能となした請求項２乃至４のいずれかに記載の歯車の歯折れ強度試験治具。
【請求項６】
前記受け台に、前記セット溝を設けた第１領域とセット溝のない第２領域を備えさせ、第２領域の高さを第１領域の高さよりも低くし、この第２領域の上方に、試験歯車の前記セット溝からの溝長手方向突出部を配置するようにした請求項２乃至５のいずれかに記載の歯車の歯折れ強度試験治具。
【発明の詳細な説明】
【技術分野】
【０００１】
この発明は、歯車の歯折れ強度（歯が折れるときの強度）を調べる歯折れ強度試験方法と、その方法を簡単に実施でき、また、はすば歯車についても安定した試験を行うことができる歯折れ強度試験治具に関する。
【背景技術】
【０００２】
金属の圧粉体を焼結して得られる焼結歯車は、溶製金属で形成する歯車に比べて歯の強度にばらつきが生じ易い。従って、品質保証のために、製造した歯車について歯折れ強度が要求通りに確保されているか否かを検査する必要がある。
【０００３】
この歯折れ強度試験方法（特に規定された方法はない）に関し、下記特許文献１は、一般的に用いられる方法を紹介し、その方法の不具合を解消する歯車負荷試験装置を提案している。この特許文献１が開示している歯車負荷試験装置は、支持台で支持した回動シャフトに被試験歯車を固定し、この被試験歯車を被試験歯車よりも高強度の固定歯車に噛み合わせ、前記回動シャフトに半円状のフライホイールで回転モーメントを付与し、この状態で支持台を加振機で加振して被試験歯車の歯に衝撃荷重を加え、歯が破壊されたときの付与荷重を求めて歯の強度が要求を満たすか否かを検査する。
【０００４】
また、下記特許文献２は、試験歯車の両側に一対のラックを噛合させ、試験歯車をラック長手方向に押し引きして試験歯車の歯に荷重を繰り返して与える歯車曲げ疲労試験方法と装置を開示しており、この方法や装置を使用して歯折れ強度を測定することもできる。
【０００５】
しかしながら、特許文献１や特許文献２が開示している方法は、専用の試験装置を必要とする。また、試験歯車のセッティングや試験歯車の種類やサイズが変わったときの段取り替えなどが面倒で検査効率も高め難い。
【特許文献１】特開２０００−６５６８８号公報
【特許文献２】特開平１１−２３０８８１号公報
【発明の開示】
【発明が解決しようとする課題】
【０００６】
一般的な強度試験機は、垂直方向に荷重をかけるものが多い。この垂直方向の荷重をかける一般的な強度試験機を用いて簡単に歯折れ強度を調べることができれば、既存の強度試験機を使用することが可能になり、経済負担を軽減できる。また、試験歯車のセッティングや試験歯車の種類やサイズが変わったときの段取り替えが簡単になれば試験の効率を向上させることができるが、上記特許文献１や特許文献２に開示された試験方法や装置ではその要求に応えることができない。  
【０００７】
そこで、この発明は、一般的な強度試験機を用いて効率良く試験を行え、また、試験歯車がはすば歯車であっても安定した試験が行える歯車の歯折れ強度試験方法と歯折れ強度試験治具を提供することを課題としている。
【課題を解決するための手段】
【０００８】
上記の課題を解決するため、この発明においては、水平向きにした試験歯車の外周の一部を受け台の上面に設けたセット溝に落ち込ませ、そのセット溝の左右の縁で前記試験歯車の中心対称位置の歯を受け支え、この状態で前記試験歯車に垂直方向の荷重を加え、前記セット溝の縁で支えた歯が折れたときの付与荷重から試験歯車の歯折れ強度を調べる歯車の歯折れ強度試験方法を提供する。
【０００９】
また、上面にセット溝を設けた受け台と、前記セット溝の直上に配置する加圧子とを有し、水平向きにした試験歯車の外周の一部を前記セット溝に落ち込ませて前記セット溝の左右の縁で前記試験歯車の中心対称位置の歯を受け支え、この状態で前記加圧子を試験歯車の上部に載せ、加圧子経由で試験歯車に試験機から垂直荷重を加えて前記セット溝の縁で支えた歯が折れたときの付与荷重から試験歯車の歯折れ強度を調べるようにした歯車の歯折れ強度試験治具も併せて提供する。
【００１０】
この歯折れ強度試験治具は、セット溝の左右の縁を、はすば歯車（ここでは、ねじ歯車も含めてはすば歯車と言う）の歯のねじれ角に対応した角度で相反する向きに傾斜させると、はすば歯車の歯折れ強度試験を安定して行える。
【００１１】
この歯折れ強度試験治具のより好ましい形態を以下に記す。
（１）前記受け台に、この受け台で支えた試験歯車の一端面と他端面をそれぞれ受けて試験歯車の軸方向移動を阻止するストッパを備えさせる。
（２）受け台と加圧子を支持する基台を含ませ、前記受け台を基台に対して着脱自在となしてこの受け台を試験歯車の種類、サイズに合ったものと交換可能となす。
（３）前記受け台に、前記セット溝を設けた第１領域とセット溝のない第２領域を備えさせ、前記セット溝からの試験歯車の溝長手方向突出部を第１領域よりも高さを低くした第２領域の上方に配置する。
【発明の効果】
【００１２】
この発明の歯折れ強度試験方法及び試験治具は、試験歯車の中心対称位置の歯を受け台に設けたセット溝の左右の縁で受け支えて試験歯車に上から荷重を加えるので、一般的な強度試験機を使用して試験を行うことができる。
【００１３】
また、歯車を受け台に設けたセット溝にはめるだけで試験歯車のセッティングが完了し、セッティングの作業がいたって簡単である。試験歯車の種類、サイズの変化に対しては、受け台を交換することで対応することができるので試験歯車の種類やサイズが変わったときの段取り替えも簡単であり、試験の効率を高めることも可能になる。
【００１４】
なお、はすば歯車は、セット溝の左右の縁によって受け支えられる中心対称位置の２つの歯の傾斜方向が反対向きになるので、平歯車用のセット溝を設けた受け台にセットすると、歯が一点で支持されて支持が不安定になり、荷重による歯車の動きが生じて安定した試験を行うことができない。そこで、セット溝の左右の縁を相反する向きに傾むけた受け台を使用する。その受け台を使用すると、はすば歯車の安定支持が可能になり、中心対称位置の２つの歯に均一に荷重が加わって試験の安定性と信頼性が良くなる。
【００１５】
相反する向きに傾斜したセット溝の縁で中心対称位置の歯を受け支え、この状態ではすば歯車に垂直荷重を加える試験治具は特に、上記の（１）のストッパが有効になる。その理由は次項で述べる。
【００１６】
このほか、受け台を基台に着脱自在に取り付けて交換可能となしたものは、同一試験治具で試験歯車の種類、サイズの変動に対応することができる。
【００１７】
また、受け台に第１領域とその第１領域よりも高さの低い第２領域を備えさせて、セット溝からの試験歯車の溝長手方向突出部を第２領域の上方に配置するようにしたものは、試験する歯以外の歯が試験治具と干渉することを防止して段付き歯車（異径歯車を一体に直列に形成した歯車）の歯折れ強度試験を行うことができる。
【発明を実施するための最良の形態】
【００１８】
以下、この発明の実施の形態を添付図面の図１〜図４に基づいて説明する。例示の歯折れ強度試験治具は、はすば歯車の歯折れ強度試験を行うためのものであって、スタンド２を有する基台１と、この基台１上に設けた受け台５と、受け台５を固定する摘まみ付きねじ１０と、試験歯車（はすば歯車）Ａに上部から垂直荷重を加える加圧子１１とを備えている。
【００１９】
スタンド２は、その上部に片持ち構造の張出部３を有し、その張出部３にガイド孔４（図３参照）を設けてそのガイド孔４に加圧子１１を上下動可能に挿入している。
【００２０】
受け台５は、第１領域５ａの上面にセット溝６を設け、さらに、第１領域５ａの前方に第１領域５ａよりも高さの低い第２領域５ｂを設けたものを使用している。例示の試験歯車Ａは、２つの異径はすば歯車を一体に形成した段付き歯車であり、試験する歯以外の歯が治具と干渉する虞があるので、その干渉を回避するために（第２領域を逃がすために）第２領域５ｂの高さを第１領域よりも低くしたが、試験歯車Ａが通常の平歯車である場合には第２領域は特に必要でない。
【００２１】
セット溝６は、前後方向に延びて第１領域５ａの前端面に開放する溝であり、溝幅は一定している。また、このセット溝６の左右の縁６ａ、６ｂは、一方の縁６ａが前上がりに、他方の縁６ｂが前下がりに傾斜している。この左右の縁６ａ、６ｂの傾斜角θ1 、θ2 は、試験するはすば歯車の歯のねじれ角に対応させた角度にしており、両角度θ1 、θ2 は等しい。
【００２２】
セット溝６の溝幅Ｗは、中心線Ｃに対して左右にほぼ４５°振れた位置（図１のαが約４５°の位置）にある歯間の溝に左右の縁６ａ、６ｂがそれぞれ入り込むように設定すると、試験歯車Ａの支持が特に安定し、理想的な試験が行える。
【００２３】
例示の歯折れ強度試験治具は、はすば歯車用であるので、受け台５に試験歯車Ａの両端面を受け支えるストッパ７、８を含ませている。そのストッパ７、８は、加工の容易化のために独立した部品を締結ボルト９で受け台５に取り付けているが、受け台５と一体に形成されたものでもよい。
【００２４】
ストッパ７、８を組み合わせた受け台５は、スタンド２に貫通させた摘まみ付きねじ１０を螺合させてその摘まみ付きねじ１０で基台１に固定しており、摘まみ付きねじ１０を外して基台１から取り外すことができる。この受け台５は、試験歯車の種類やサイズに合ったものを複数個準備しておき、その中から最適なものを選択して使用する。１本の摘まみ付きねじ１０を操作するだけで受け台５の着脱を行えるので、試験歯車の種類やサイズが変わったときの段取り替えはいたって簡単である。
【００２５】
以上のように構成した歯折れ強度試験治具のセット溝６に試験歯車（はすば歯車）Ａをセットし、その試験歯車Ａの上部に加圧子１１を当てる。そして、強度試験機（これは汎用の万能試験機でよい）から加圧子１１に垂直荷重を加える。試験歯車Ａは、中心対称位置の歯がセット溝６の左右の縁６ａ、６ｂによって支持されており、その歯に試験歯車Ａに加えた荷重が伝わる。
【００２６】
付与した垂直荷重が耐力の限界を越えると荷重を受けた歯が折れ、そのときの付与荷重を確認すれば歯折れ強度が要求値を満たしているか否かがわかる。
【００２７】
なお、図示の試験装置は、セット溝の縁６ａ、６ｂが相反する向きに傾斜しているため、試験機から垂直荷重を加えたときに試験歯車Ａが回転しようとするが、その回転を阻止するストッパ７、８が設けられているので、試験は安定して行える。
【００２８】
図５は、平歯車用歯折れ強度試験治具の受け台である。この受け台５に設けるセット溝６は、左右の縁６ａ、６ｂが水平かつ平行に配置された溝にする。
【図面の簡単な説明】
【００２９】
【図１】この発明の歯折れ強度試験治具の一例を示す正面図
【図２】図１のII−II線に沿った断面図
【図３】図１の試験治具の平面図
【図４】（ａ）図１の試験治具に設けた受け台の要部を示す斜視図、（ｂ）セット溝の縁の傾斜状態を示す側面図
【図５】平歯車歯用折れ強度試験治具の受け台の要部を示す斜視図
【符号の説明】
【００３０】
１            基台
２            スタンド
３            張出部
４            ガイド孔
５            受け台
５ａ          第１領域
５ｂ          第２領域
６            セット溝
６ａ、６ｂ    セット溝の縁
７、８        ストッパ
９            締結ボルト
１０          摘まみ付ねじ
１１          加圧子
Ａ            試験歯車
【図１】
2006010600.tif 000003
【図２】
2006010600.tif 000004
【図３】
2006010600.tif 000005
【図４】
2006010600.tif 000006
【図５】
2006010600.tif 000007